(57)【要約】【課題】高感度の電波時計を提供する。【解決手段】電波時計は、風防と、前記風防の下面の周縁部に設けられた円弧形状のアンテナと、前記アンテナの直下に配置され、前記アンテナの厚み方向において、その少なくとも一部を受入れる凹部と、前記アンテナの径方向外側で前記風防下面に対向する外側突出部と、を有する誘電体と、を有する。【選択図】図３
2018063150.tif 000002
【特許請求の範囲】
【請求項１】
風防と、
前記風防の下面の周縁部に設けられた円弧形状のアンテナと、
前記アンテナの直下に配置され、
前記アンテナの厚み方向において、その少なくとも一部を受入れる凹部と、
前記アンテナの径方向外側で前記風防の下面に対向する外側突出部と、
を有する誘電体と、
を有する電波時計。
【請求項２】
請求項１に記載の電波時計において
前記誘電体は、
前記アンテナの径方向内側で
前記風防の下面に対向する内側突出部をさらに有する、
電波時計。
【請求項３】
請求項１に記載の電波時計において
前記アンテナの径方向内側には誘電体が配置されない、
電波時計。
【請求項４】
請求項２または３に記載の電波時計において、
前記誘電体の下面を保持する見返しをさらに有する、
電波時計。
【請求項５】
請求項４に記載の電波時計において、
前記誘電体は、その下面から延び、
かつ前記見返しにはめ込まれる下側突起部をさらに有する、
電波時計。
【請求項６】
請求項２または３に記載の電波時計において、
前記誘電体の径方向内側に隣接し、
前記誘電体の直下に存在しない見返しをさらに有する、
電波時計。
【請求項７】
請求項２または３に記載の電波時計において、
前記誘電体は、前記風防の表側から視認される傾斜面を有する、
電波時計。
【請求項８】
請求項１から３のいずれかに記載の電波時計において、
前記アンテナの径方向の外側に配置され、前記風防がはめこまれるベゼルをさらに含む、
電波時計。
【請求項９】
請求項８に記載の電波時計において、
前記誘電体は、前記外側突出部から径方向外側へ延びる張出部をさらに有し、
前記ベゼルは、前記張出部の下側の面を保持する保持部を有する、
電波時計。
【請求項１０】
請求項８に記載の電波時計において、
前記誘電体は、前記外側突出部から径方向外側へ延びる張出部をさらに有し、
前記ベゼルは、前記張出部の上面を保持する保持部を有する、
電波時計。
【請求項１１】
請求項８から１０に記載の電波時計において、
前記ベゼルは金属からなる、
電波時計。
【請求項１２】
請求項８に記載の電波時計において、
前記ベゼルはセラミックスを含み、
前記ベゼルと前記誘電体とは一体化されている、
電波時計。
【請求項１３】
請求項１２に記載の電波時計において、
前記ベゼルの内側側面と、前記誘電体の下面とは、曲面により接続される、
電波時計。
【請求項１４】
請求項１から８のいずれかに記載の電波時計において、
前記誘電体の下に配置される弾性体をさらに有する、
電波時計。
【請求項１５】
請求項１から１４のいずれかに記載の電波時計において、
前記アンテナの厚みは、前記外側突出部と前記風防との間隔より大きい、
電波時計。
【請求項１６】
請求項８に記載の電波時計において、
前記ベゼルと前記風防の間に設けられるパッキンをさらに含み、
前記パッキンの厚みは、前記アンテナの厚みより大きい、
電波時計。
【発明の詳細な説明】
【技術分野】
【０００１】
本発明は、衛星等から信号を受信する携帯型電波時計に関する。
【背景技術】
【０００２】
ＧＰＳ（Global Positioning System）を構成する衛星等からの送信信号に含まれる時刻情報を受信して時刻を修正する携帯型の電波時計が実用に供されている。電波の受信のためのアンテナの種類および配置は、時計の機能を損なわずかつ必要な受信感度が得られるように決定されている。
【０００３】
特許文献１の図８には、風防ガラスの外周縁の裏側に無給電素子４２３（アンテナ）を配置することが開示されている。無給電素子４２３は、誘電体上に形成された円弧状の給電素子４１０により非接触で給電される。無給電素子４２３と給電素子４１０との間には、誘電体であるダイヤルリング８３が配置されている。
【先行技術文献】
【特許文献】
【０００４】
【特許文献１】特開２０１４−１６３６６６号公報
【発明の概要】
【発明が解決しようとする課題】
【０００５】
本願発明者らは、ＵＨＦ帯向けの高感度アンテナを腕時計のような携帯時計の風防の外周縁の裏側に搭載することを検討している。アンテナを風防の外周縁の裏側に配置した場合、アンテナの径方向外側に金属や指などの導電体が近づく現象が生じやすい。その導電体によりアンテナの受信特性が影響を受けやすくなり、アンテナの感度が低下する恐れがあった。
【０００６】
本発明は上記事情を考慮してなされたものであって、その目的は、高感度の電波時計を提供することである。
【課題を解決するための手段】
【０００７】
（１）風防と、前記風防の下面の周縁部に設けられた円弧形状のアンテナと、前記アンテナの直下に配置され、前記アンテナの厚み方向において、その少なくとも一部を受入れる凹部と、前記アンテナの径方向外側で前記風防の下面に対向する外側突出部と、を有する誘電体と、を有する電波時計。
【０００８】
（２）（１）において、前記誘電体は、前記アンテナの径方向内側で前記風防の下面に対向する内側突出部をさらに有する、電波時計。
【０００９】
（３）（１）において、前記アンテナの径方向内側には誘電体が配置されない電波時計。
【００１０】
（４）（２）または（３）において、前記誘電体の下面を保持する見返しをさらに有する電波時計。
【００１１】
（５）（４）において、前記誘電体は、その下面から延び、かつ前記見返しにはめ込まれる下側突起部をさらに有する、電波時計。
【００１２】
（６）（２）または（３）において、前記誘電体の径方向内側に隣接し、前記誘電体の直下に存在しない見返しをさらに有する、電波時計。
【００１３】
（７）（２）または（３）において、前記誘電体は、前記風防の表側から視認される傾斜面を有する、電波時計。
【００１４】
（８）（１）から（３）のいずれかにおいて、前記アンテナの径方向の外側に配置され、前記風防がはめこまれるベゼルをさらに含む電波時計。
【００１５】
（９）（８）において、前記誘電体は、前記外側突出部から径方向外側へ延びる張出部をさらに有し、前記ベゼルは、前記張出部の下側の面を保持する保持部を有する、電波時計。
【００１６】
（１０）（８）において、前記誘電体は、前記外側突出部から径方向外側へ延びる張出部をさらに有し、前記ベゼルは、前記張出部の上面を保持する保持部を有する、電波時計。
【００１７】
（１１）（８）から（１０）のいずれかにおいて、前記ベゼルは金属からなる、電波時計。
【００１８】
（１２）（８）において、前記ベゼルはセラミックスを含み、前記ベゼルと前記誘電体とは一体化されている、電波時計。
【００１９】
（１３）（１２）において、前記ベゼルの内側側面と、前記誘電体の下面とは、曲面により接続される、電波時計。
【００２０】
（１４）（１）から（８）のいずれかにおいて、前記誘電体の下に配置される弾性体をさらに有する電波時計。
【００２１】
（１５）（１）から（１４）のいずれかにおいて、前記アンテナの厚みは、前記外側突出部と前記風防との間隔より大きい、電波時計。
【００２２】
（１８）（８）において、前記ベゼルと前記風防の間に設けられるパッキンをさらに含み、前記パッキンの厚みは、前記アンテナの厚みより大きい、電波時計。
【発明の効果】
【００２３】
本発明によれば、携帯型電波時計は、電波を高感度に受信することができる。
【図面の簡単な説明】
【００２４】
【図１】本発明の実施形態にかかる衛星電波腕時計の一例を示す平面図である。
【図２】図１に示される衛星電波腕時計のII−II切断線における断面図である。
【図３】図１に示される衛星電波腕時計のIII−III切断線における部分断面図である。
【図４】衛星電波腕時計の他の一例を示す部分断面図である。
【図５】衛星電波腕時計の他の一例を示す部分断面図である。
【図６】衛星電波腕時計の他の一例を示す部分断面図である。
【図７】衛星電波腕時計の他の一例を示す部分断面図である。
【図８】衛星電波腕時計の他の一例を示す部分断面図である。
【図９】衛星電波腕時計の他の一例を示す部分断面図である。
【図１０】衛星電波腕時計の他の一例を示す部分断面図である。
【図１１】衛星電波腕時計の他の一例を示す部分断面図である。
【図１２】衛星電波腕時計の他の一例を示す部分断面図である。
【図１３】衛星電波腕時計の他の一例を示す断面図である。
【図１４】衛星電波腕時計の他の一例を示す部分断面図である。
【図１５】衛星電波腕時計の他の一例を示す部分断面図である。
【図１６】衛星電波腕時計の他の一例を示す部分断面図である。
【図１７】衛星電波腕時計の他の一例を示す部分断面図である。
【図１８】図１７に示される衛星電波腕時計のベゼルおよびアンテナの一部の斜視図である。
【発明を実施するための形態】
【００２５】
以下、本発明の実施の形態について、図面を参照しながら詳細に説明する。以下では本発明の実施形態にかかる衛星電波腕時計１について説明する。本実施形態に係る衛星電波腕時計１は、時刻情報を含んだ衛星電波を受信し、当該受信された衛星電波に含まれる時刻情報を用いて自身が計時している時刻の修正や測位を行う。
【００２６】
図１は、本発明の実施形態にかかる衛星電波腕時計１の外観の一例を示す平面図であり、図２は、図１に示される衛星電波腕時計１のII−II切断線における断面図である。これらの図に示されるように、衛星電波腕時計１は、風防ガラス３１と、風防ガラス３１を保持するベゼル３２と、円筒状の胴３８と、胴３８の下に設けられる裏蓋３９とを含む。これらは衛星電波腕時計１の外形を構成している。胴３８およびベゼル３２は、風防ガラス３１および裏蓋３９に挟まれている。以下では、衛星電波腕時計１の中心から風防ガラス３１へ向かう向きを上、裏蓋３９へ向かう向きを下と表記する。
【００２７】
胴３８は金属からなり、上下方向に貫かれる穴を有する。ベゼル３２は胴３８の穴の上部の形状に応じたリング状の金属部材であり、ベゼル３２はその穴の上部にはめ込まれることで胴３８に接続されている。また裏蓋３９は金属からなり胴３８の穴の下部の形状に応じた平面を有し、裏蓋３９はその穴の下部にはめ込まれている。風防ガラス３１は、ベゼル３２の開口の上部の形状に応じた平面形状を有し、ベゼル３２のその開口にはめ込まれている。風防ガラス３１とベゼル３２とはパッキン３３を介して接しており、パッキン３３により風防ガラス３１が固定されている。またベゼル３２と胴３８とはパッキン３７を介して接しており、パッキン３７によりベゼル３２が固定されている。また、耐衝撃性と防水性が劣るものの、パッキン３３の代わりにカシメや接着などでベゼル３２に風防ガラス３１を固定してもよい。
【００２８】
また、衛星電波腕時計１は、目隠し領域６１、アンテナ１０ａ，１０ｂ、２本の導電ピン４１、リング状の見返しリング３４、文字板５１、時針５２ａ、分針５２ｂ及び秒針５２ｃ、ソーラーセル５３、日板５５、バラン基板４３、接続ピン４５、回路基板４７、バラン回路２１、受信回路２２、マッチング素子２４を含む。これらは、風防ガラス３１、ベゼル３２、胴３８、裏蓋３９に囲まれた空間に配置されている。
【００２９】
アンテナ１０ａ，１０ｂは、風防ガラス３１の下側（裏側）に、風防ガラス３１の周縁に沿って延びるように配置されている。図１の例では、アンテナ１０ａ，１０ｂのそれぞれは円弧状であり、風防ガラス３１の裏側に貼り付けられている。アンテナ１０ａ，１０ｂは衛星から送信される衛星信号を受信する。特に本実施形態では、アンテナ１０ａ，１０ｂはいわゆるダイポールアンテナであり、ＧＰＳ（Ｇｌｏｂａｌ  Ｐｏｓｉｔｉｏｎｉｎｇ  Ｓｙｓｔｅｍ）衛星から送信される周波数約１．６ＧＨｚの電波を受信する。ＧＰＳは、衛星測位システムの一種であって、地球の周囲を周回する複数のＧＰＳ衛星によって実現されている。
【００３０】
アンテナ１０ａ，１０ｂと風防ガラス３１との間には、平面視でリング状の目隠し領域６１が設けられている。目隠し６１の下側の面の上にアンテナ１０ａ，１０ｂが接着あるいは蒸着されている。目隠し領域６１は、例えば印刷により形成され、目隠し領域６１により、アンテナ１０ａ，１０ｂが表側から視認されないようになっている。なお、目隠し領域６１は設けられていなくてもよく、アンテナ１０ａ，１０ｂは風防ガラス３１に直接的に接着あるいは蒸着されていてもよい。
【００３１】
導電ピン４１はいわゆるプローブピンである。２本の導電ピン４１はアンテナ１０ａ，１０ｂと１対１で対応しており、アンテナ１０ａ，１０ｂのそれぞれは、対応する導電ピン４１によりバラン基板４３と電気的に接続されている。導電ピン４１の両端はスプリングにより伸縮し、２本の導電ピン４１の上端はアンテナ１０ａ，１０ｂに接触している。また２本の導電ピン４１の下端はそれぞれバラン基板４３上に設けられた２つの接続端子に接触している。導電ピン４１は、見返しリング３４等により、平面視における位置を固定されており、また２本の導電ピン４１は互いに平行に配置されている。図２の例では、導電ピン４１は見返しリング３４を上下方向に貫通する穴の中に固定されている。アンテナ１０ａ，１０ｂからみて、導電ピン４１は、風防ガラス３１から遠ざかる方向に延びている。
【００３２】
導電ピン４１は、バラン基板４３に配置されたマッチング素子２４と電気的に接続されており、マッチング素子２４はインピーダンスマッチングを行う。また、導電ピン４１からの受信信号はインピーダンスマッチングがされた後に、バラン回路２１に入力される。バラン回路２１は、ダイポールアンテナのような平衡型アンテナを不平衡な特性を有する回路に接続するために、アンテナ１０ａ，１０ｂが受信した信号を変換する。マッチング素子２４およびバラン回路２１は、バラン基板４３の下側の面に実装されている。接続ピン４５は、例えば同軸ピンであり、バラン基板４３と回路基板４７との間に設けられる。
また、バラン回路２１はバラン基板４３の上側の面にあってもよく、これにより裏蓋３９からバラン回路２１がより離間するため、電磁的な影響を緩和できる。更に、バラン基板４３と裏蓋３９の間に誘電体ブロックを配置して、裏蓋３９からの電磁的な影響を緩和してもよい。この場合、誘電体ブロックの厚みを増やすことが出来るため、上記の緩和効果をさらに増すことができ、受信感度をさらに向上できる。
【００３３】
バラン基板４３は回路基板４７の上に配置されている。受信回路２２は回路基板４７上に配置され、接続ピン４５を介してバラン回路２１に接続されている。受信回路２２はアンテナ１０ａ，１０ｂが受信した信号を復号し、復号の結果得られる衛星信号の内容を示すビット列（受信データ）を出力する。より具体的には、受信回路２２は高周波回路（ＲＦ回路）及びデコード回路を含んでいる。高周波回路は、高周波数で動作し、アンテナ１０ａ，１０ｂが受信したアナログ信号に対して増幅、検波を行って、ベースバンド信号に変換する。デコード回路は、高周波回路が出力するベースバンド信号を復号してＧＰＳ衛星から受信したデータの内容を示すビット列を生成し出力する。
【００３４】
また、衛星電波腕時計１は、図示しない制御回路と駆動機構とを含む。制御回路は、受信回路から取得されたビット列を取得し、衛星電波腕時計１に含まれる各種回路や駆動機構を制御する。駆動機構は、ステップモータであるモーターと、輪列と、を含んで構成される。モーターは回路基板４７の文字板５１側の面に設けられている。モーターの回転を輪列が伝達することによって、例えば時針５２ａ、分針５２ｂ、及び秒針５２ｃのうちいずれかを回転させる。これにより現在時刻が表示される。
【００３５】
アンテナ１０ａ，１０ｂとバラン回路２１とは、導電ピン４１およびバラン基板４３上の中間配線により接続されている。中間配線は、バラン基板４３上を、導電ピン４１との接続端子から延びる配線である。中間配線は、接続端子から見て、胴３８から離れるように延びている。また、バラン回路２１と受信回路２２とは、ＲＦ接続配線により接続されている。ＲＦ接続配線は、接続ピン４５と、接続ピン４５とバラン回路２１とを接続するバラン基板４３上の配線と、接続ピン４５と受信回路２２とを接続する回路基板４７上の配線とを含む。接続ピン４５は、バラン基板４３上の配線と回路基板４７上の配線とを電気的に接続する。接続ピン４５は、平面視で導電ピン４１よりも文字板５１の中央に近く、導電ピン４１に比べて胴３８から離れている。導電ピン４１、中間配線、バラン回路２１、ＲＦ接続配線は、アンテナ１０ａ，１０ｂと受信回路２２とを接続する接続回路である。また導電ピン４１はアンテナ１０ａ，１０ｂとバラン回路２１とを接続する配線の一種である。
【００３６】
図３は、衛星電波腕時計１のIII−III切断線における部分断面図である。図３では、目隠し領域６１、胴３８や文字板５１などの記載は省略している。ベゼル３２は平面視で風防ガラス３１を囲む第１の内周壁３２ｉと、第１の内周壁３２ｉの下端から径方向内側へ延びる上面を有する風防保持部３２ｆとを含む。また風防保持部３２ｆはその上面の内側の端に接続し下方向へ延びる第２の内周壁３２ｊを有する。見返し３４はリング状の部材であり、径方向内側には文字板５１に向かう傾斜面３４ｋを有する。また特に図３の例では、見返し３４は平面視で第２の内周壁３２ｊより径方向外側へ突出するリング状の拡張部３４ｅを有し、その拡張部３４ｅはベゼル３２の風防保持部３２ｆの上に載っている。見返し３４の上面の上には、パッキン３３と、高誘電体３６とが配置されている。また、見返し３４のうち、高誘電体３６より径方向内側には、上面より上方向に突出する部分があり、さらに傾斜面３４ｋは、見返し３４の突出する部分から文字板５１に向かっている。
【００３７】
図２、図３の例では、高誘電体３６とアンテナ１０ａ，１０ｂを含むアンテナ体と、ベゼル３２の風防保持部３２ｆのようなベゼルの一部とが、上面視で重ならない構造としている。これにより、ベゼル３２が金属で形成された場合に、その金属がアンテナ１０ａ，１０ｂに与える電磁的な影響を緩和することができる。
【００３８】
また、見返し３４の径方向内側における上方向に突出する部分により、高誘電体３６の径方向への移動が規制され位置決めされることから、高誘電体３６とアンテナ１０ａ，１０ｂとの径方向側面との距離を精度良く保つことができる。従って、外部より衝撃を受けた場合に、アンテナ１０ａ，１０ｂと高誘電体３６との衝突を防ぐことができるとともに、波長短縮効果のバラツキを抑制することが可能になる。
【００３９】
また、見返し３４の径方向内側における上方向に突出する部分は、隣接する高誘電体３６の上面よりも、風防ガラス３１方向に高くしているため、時計上面から高誘電体３６が見難くなり、時計使用者がデザインに違和感を抱くことが無い。また、上記と同様に時計上面から高誘電体３６を見難くするため、目隠し領域６１の内周側の端部は、上面視で見返しリング３４の傾斜面３４ｋと重なるように配置しても良い。
【００４０】
ここで、アンテナ１０ａ，１０ｂの直下には、高誘電体３６が配置されている。高誘電体３６は、セラミックスなどの誘電率の高い物質を含み、高誘電体３６の誘電率は２０以上である。高誘電体３６は、凹部３６ａと、外側突出部３６ｂと、内側突出部３６ｃとを有する。凹部３６ａは、アンテナ１０ａ，１０ｂの厚み方向（上下方向）において、その少なくとも一部を受入れる。外側突出部３６ｂは、アンテナ１０ａ，１０ｂの径方向外側で風防ガラス３１の下面に対向する。内側突出部３６ｃは、アンテナ１０ａ，１０ｂの径方向内側で風防ガラス３１の下面に対向する。凹部３６ａのその径方向の切断面は矩形である。凹部３６ａはアンテナ１０ａ，１０ｂの下面に対向する。
【００４１】
外側突出部３６ｂの径方向の切断面は矩形であり、外側突出部３６ｂは、内側の側面と、外側の側面と、上面と下面とを有する。外側突出部３６ｂの内側の側面は、凹部３６ａの上面に接続して上方向に延び、アンテナ１０ａ，１０ｂの径方向外側の側面に隣接する。外側突出部３６ｂの内側の側面の上端は、アンテナ１０ａ，１０ｂの下面より風防ガラス３１に近い。また、外側突出部３６ｂの上面は風防ガラス３１に対向し、外側突出部３６ｂの下面は凹部３６ａの下面に連続している。
【００４２】
内側突出部３６ｃの径方向の切断面は矩形であり、内側突出部３６ｃは、径方向内側の側面と、径方向外側の側面と、上面と下面とを有する。内側突出部３６ｃの径方向外側の側面は、凹部３６ａの上面に接続して上方向に延び、アンテナ１０ａ，１０ｂの径方向内側の側面に隣接する。内側突出部３６ｃの径方向外側の側面の上端は、アンテナ１０ａ，１０ｂの下面より風防ガラス３１に近い。また、内側突出部３６ｃの上面は風防ガラス３１に対向し、内側突出部３６ｃの下面は凹部３６ａの下面に連続している。
【００４３】
ここで、外側突出部３６ｂおよび内側突出部３６ｃの上面と風防ガラス３１との距離をＬ１、アンテナ１０ａ，１０ｂの厚さをＬ２とすると、Ｌ１＜Ｌ２となる。また高誘電体３６とアンテナ１０ａ，１０ｂの凹部３６ａの上面とは離間している。また、パッキン３３のうち風防ガラス３１の直下にある部分の厚さをＬ３とすると、Ｌ３＞Ｌ２である。図３の例のように、パッキン３３と高誘電体３６とが同じ平面に載っている場合には、凹部３６ａの上下方向の厚みをＬ４とすると、Ｌ３＞Ｌ２＋Ｌ４となる。風防ガラス３１およびアンテナ１０ａ，１０ｂとセラミックスなどからなる高誘電体３６との間に空間があり、また風防ガラス３１が、パッキン３３や、高誘電体３６に比べて塑性変形しやすい樹脂等で形成された見返し３４の拡張部３４ｅにより保持されることで、風防ガラス３１に加わった衝撃はパッキン３３や見返し３４が吸収する。これにより、アンテナ１０ａ，１０ｂや風防ガラス３１との衝突による高誘電体３６の破損の発生を抑えることができる。また、衝突によるアンテナ１０ａ，１０ｂの位置ずれの発生を抑制し、感度の低下を防ぐことができる。また、見返し３４が高誘電体３６をはめ込まれる構造を有することで高誘電体３６の位置あわせを容易にすることができる。
【００４４】
アンテナ１０ａ，１０ｂの径方向外側に誘電体である外側突出部３６ｂが存在することで、その外側突出部３６ｂのさらに外側にある物体（たとえば金属製のベゼル３２や指などの導体）がアンテナ１０ａ，１０ｂの信号の受信への影響を軽減することができる。なお、ベゼル３２はセラミックスなどの誘電体であってもよい。また、アンテナ１０ａ，１０ｂの径方向外側の側面のうち下側だけが外側突出部３６ｂの側面と対向していればよい。導電ピン４１がアンテナ１０ａ，１０ｂの下面に接触する場合には、高周波の受信信号の電流は、主にアンテナ１０ａ，１０ｂの下面の近傍を流れる。そのためアンテナ１０ａ，１０ｂの側面のうち下端の近傍を外側突出部３６ｂが覆うだけでも効果が得られる。また、この構成により受信信号の波長を短縮する効果も得ることもできる。また、内側突出部３６ｃによって、受信する信号の波長を短縮し、アンテナ１０ａ，１０ｂの径方向内側の物体、たとえば金属を含むソーラーセルや文字板等からの受信感度への影響を軽減することができる。
【００４５】
高誘電体３６の形状は、図３に示すものでなくても上記効果を得ることができる。図４は、衛星電波腕時計１の他の一例を示す部分断面図である。図４は、図３に対応する図であり、目隠し領域６１の記載が省略されている。図４の例では、図３の例と異なり、高誘電体３６は、その下面から下側に延びる下側突起部６６をさらに含む。また、下側突起部６６は、見返し３４の上面に設けられた孔にはめ込まれている。図４の例では、高誘電体３６の位置がよりずれにくくなる。また、高誘電体３６は、見返し３４の孔径を突起部６６の径より小さくし、突起部６６を上方向から孔に押し込んでかしめることで固定されてもよいし、見返し３４の作成の際のインサート成型により固定されてもよい。図４では突起部６６を２個設けているが、突起部６６を１個にして楕円形、方形、多角形形状にすることで位置ずれを防止してもよい。
【００４６】
図５は、衛星電波腕時計１の他の一例を示す部分断面図である。図５は、図３に対応する図である。図５の例では、図３の例と異なり、高誘電体３６は、アンテナ１０ａ，１０ｂの径方向内側の側面に対向する内側突出部３６ｃを含まない。高誘電体３６の径方向の切断面の形状はＬ字型になっている。図５の例では、見返し３４の傾斜の上端をより外周縁側に近づけることができ、見返し３４の幅が狭くなる。これにより、見返し３４により隠れる文字板の面積を少なくでき、文字板５１のデザインの自由度が向上する。
【００４７】
図６は、衛星電波腕時計１の他の一例を示す部分断面図である。図６は、図３に対応する図である。図６の例では、見返し３４は拡張部３４ｅを有していない。見返し３４の径方向外側の側壁は、ベゼル３２の第２の内周壁３２ｊに隣接している。図６の例でも、高誘電体３６を樹脂性材料で形成された見返し３４で保持することにより、アンテナ１０ａ，１０ｂや風防ガラス３１との衝突による高誘電体３６の破損の発生を抑えることができる。
【００４８】
また、高誘電体３６と見返し３４とが一体であってもよい。図７は、衛星電波腕時計１の他の一例を示す部分断面図である。図７は、図３に対応する図である。図７に示される高誘電体３６は、凹部３６ａと、外側突出部３６ｂと、リング状の拡張部３６ｅと、傾斜面３６ｋとを有する。拡張部３６ｅは、平面視でベゼル３２の第２の内周壁３２ｊより外側へ延びており、ベゼル３２の風防保持部３２ｆの上に載っている。また拡張部３６ｅと、凹部３６ａ、外側突出部３６ｂおよび傾斜面３６ｋとは一体になっている。図３の例における見返し３４に相当する部分も誘電率の高い物質で構成されることにより、波長短縮効果が向上し、また下に配置された金属部材の受信への影響をより低減することができる。
【００４９】
図８は、衛星電波腕時計１の他の一例を示す部分断面図である。図８は、図７に対応する図である。図８の例は、図７の例と異なり、高誘電体３６が内側突出部３６ｃをさらに有し、内側突出部３６ｃの径方向内側の端は傾斜面３６ｋに達している。
【００５０】
また、高誘電体３６の下面が見返し３４により保持されず、さらに下側にある文字板５１等により保持されてもよい。図９は、衛星電波腕時計１の他の一例を示す部分断面図であり、図７に対応する図である。図９の例では、見返し３４は高誘電体３６の径方向内側に隣接する。また、図９の高誘電体３６は、凹部３６ａと、外側突出部３６ｂと、拡張部３６ｅを有する。見返し３４は、アンテナ１０ａ，１０ｂの径方向内側にある突出部と、傾斜面３４ｋとを有する。図７の例では、高誘電体３６と見返し３４が一体に形成されているが、図９の構造は高誘電体３６を単純な形状に形成できるため加工が容易であり、衝撃等による高誘電体３６の欠けも防止できるとともに、傾斜面３４ｋを樹脂等で形成できるため表面の艶や色を自由に選択することが可能になる。また、図３の高誘電体３６に比べて裏蓋方向に誘電体３６が厚みを増すため、金属で形成されるベゼル３２、胴３８、裏蓋３９からのアンテナ１０ａ，１０ｂに対する電磁的な影響を低減できるとともに、電波受信における更なる波長短縮効果を得ることができ、受信感度の向上が可能となる。
【００５１】
図１０は、衛星電波腕時計１の他の一例を示す部分断面図である。図１０の例と図９の例との相違点は、図１０の例の高誘電体３６が内側突出部３６ｃも有している点である。
このような構成にすることで、高誘電体３６の内側突出部３６ｃも裏蓋方向に厚みが増し、径方向内側に配置される金属部品、例えばソーラーセル５３、時分秒の指針、輪列、電池などからのアンテナ１０ａ，１０ｂに対する電磁的影響を緩和できるとともに、電波受信における更なる波長短縮効果を得ることができるため、受信感度の向上が可能となる。
【００５２】
なお、高誘電体３６の拡張部３６ｅが、ベゼル３２の風防保持部３２ｆの直下に配置されてもよい。図１１は衛星電波腕時計１の他の一例を示す部分断面図である。図１１は図９に対応する図であり、以下では図９の例との相違点を中心に説明する。図１１の例では、高誘電体３６は、凹部３６ａ、外側突出部３６ｂ、拡張部３６ｅを含む。また、ベゼル３２の風防保持部３２ｆは外周側のリングから内側に張り出しており、その張り出した部分の直下に拡張部３６ｅが配置されている。従って、風防ガラス３１に受けた衝撃がパッキン３３を通して伝導しても、ベゼル３２の風防保持部３２ｆの張り出した部分で受けるため、その直下の拡張部３６ｅには衝撃が伝わらず、高誘電体３６の破損を防止できる。
【００５３】
図１２は、衛星電波腕時計１の他の一例を示す部分断面図である。図１１の例と図１０の例との違いは、図１０の例の高誘電体３６が内側突出部３６ｃも有している点である。
従って、図１１の例の利点と図１０の例の利点を併せ持つことができる。
【００５４】
また、衛星電波腕時計１に含まれる高誘電体３６の下にクッション材６７が配置されていてもよい。図１３は、衛星電波腕時計１の他の一例を示す断面図であり、図２に対応する図である。以下では主に、図１３の例と、図２、図３の例との相違点を説明する。
【００５５】
図１３の衛星電波腕時計１は、風防ガラス３１、ベゼル３２など図２に示される構成に加え、クッション材６７を有する。ベゼル３２は平面視で風防ガラス３１を囲む第１の内周壁３２ｉと、第１の内周壁３２ｉの下端から径方向内側へ延びる上面を有する風防保持部３２ｆとを含む。また風防保持部３２ｆはその上面の内側の端に接続し下方向へ延びる第２の内周壁３２ｊを有する。ベゼル３２の風防保持部３２ｆと風防ガラス３１との間にはパッキン３３が配置されており、図２の例と異なり見返し３４は風防保持部３２ｆと風防ガラス３１との間に挟まれていない。クッション材６７は弾性を有し、高誘電体３６の下に配置されている。見返し３４はクッション材６７の直下にある保持部と、高誘電体３６の径方向内側の面と傾斜面３４ｋとに囲まれ、保持部より上方に突出する突出部とを含む。
【００５６】
クッション材６７により、風防ガラス３１に強い衝撃が加わった際に高誘電体３６に伝わる衝撃を軽減し、その衝撃により高誘電体３６が破損することを防ぐことができる。また、クッション材６７により高誘電体３６を上側に押し付けることができる。例えば高誘電体３６の一部と風防ガラス３１上の目隠し領域６１とを接触させることで、例えば高誘電体３６やパッキン３３などの部材の製造誤差が多少大きくても、アンテナ１０ａ，１０ｂと高誘電体３６との間隔を一定の範囲に収めることができる。これにより、受信する信号の波長を適切に短縮し、アンテナ１０ａ，１０ｂの径方向外側の金属等による受信感度への影響を軽減することができる。
【００５７】
また、ベゼル３２と高誘電体３６とが一体化されていてもよい。図１４は、衛星電波腕時計１の他の一例を示す部分断面図であり、図３に対応する図である。図１４の例では、ベゼル３２１は例えばセラミックスなどの誘電体を含む。また、ベゼル３２１は、平面視で風防ガラス３１を囲む第１の内周壁３２１ｉと、第１の内周壁３２１ｉの下端から径方向内側へ延びる上面を有する風防保持部３２１ｆと、風防保持部３２１ｆに連結されるアンテナ包囲部とを含む。また、風防保持部３２１ｆは、第１の内周壁３２１ｉより径方向内側にあり上端が風防保持部３２１ｆの上面より低い第２の内周壁３２１ｊを有する。アンテナ包囲部は、高誘電体３６に相当し凹部３２１ａ、外側突出部３２１ｂ、内側突出部３２１ｃを含む。見返し３４は第２の内周壁３２１ｊに隣接し、アンテナ包囲部の径方向内側で上方向に突出する突出部と、文字板５１に向かう傾斜面３４ｋとを含む。また、図１４の例では、風防保持部３２１ｆの上面は、外側突出部３２１ｂの上面より低くなっている。アンテナ包囲部と第１の内周壁３２１ｉとの間にあるくぼみにはパッキン３３が配置される。これにより、耐衝撃性を増すためにパッキン３３の厚みを確保しつつ、アンテナ１０ａ，１０ｂとアンテナ包囲部との距離が離れにくくなり、波長短縮効果などの効果を得やすくなる。
【００５８】
図１５は、衛星電波腕時計１の他の一例を示す部分断面図であり、図１４に対応する図である。以下では主に図１４の例と図１５の例との違いを説明する。図１５の例では、アンテナ包囲部と第２の内周壁３２１ｊとは、曲面により接続されている。言い換えれば、ベゼル３２１の径方向の断面は、アンテナ包囲部と第２の内周壁３２１ｊとを含む曲線を含んでいる。これにより、衝撃による応力が特定の箇所に集中してかかることを防ぎ、ベゼル３２１の破損を防ぐことができる。
【００５９】
図１６は、衛星電波腕時計１の他の一例を示す部分断面図である。ベゼル３２１は、パッキン３７を介して胴３８の内側の面に対向する第１の外周壁と、第１の外周壁より下側で径方向内側に向かう下面とを有する。そして、第１の外周壁と下面とは、曲面により接続されている。胴３８が金属の場合、ベゼル３２１と胴３８とが接合される部分でベゼル３２１の角が破損しやすいが、これにより、その破損を抑制することができる。
【００６０】
図１７は、衛星電波腕時計１の他の一例を示す部分断面図である。図１７の例では、図１４の例と異なり、アンテナ包囲部の外側突出部３２１ｂの上面と風防保持部３２１ｆの上面とが同じ高さで接続している。これにより、第１の内周壁３２１ｉとアンテナ包囲部との間にくぼみがない。パッキン３３の厚みに制約は生じるものの、このような形態でも、外部の金属などによる受信感度への影響を防ぎ、波長短縮効果を得ることができる。
【００６１】
図１８は、図１７に示される衛星電波腕時計１のベゼル３２１およびアンテナ１０ａ，１０ｂの一部の斜視図である。図１８にてわかるように、ベゼル３２１は、２本の導電ピン４１の周囲に切欠きを有する。切欠きは、ベゼル３２１の風防保持部３２１ｆおよびアンテナ包囲部に設けられ、上下方向に貫通している。また切欠きは２本の導電ピン４１の両方を囲んでいる。これにより、導電ピン４１ごとに孔を設けずに済むため、セラミックであっても容易に加工することができる。導電ピン４1が接触するアンテナ１０ａ，１０ｂの給電電極部は、凹部３６ａの幅より大きくしているため、導電ピン４１を接触させやすく、外部から衝撃が加わって接触位置がずれても導通を保つことができる。
【００６２】
これまでに、衛星電波腕時計１に本発明を適用した場合について説明したが、例えば腕時計と異なる携帯用の小型の時計にも適用できる。
【符号の説明】
【００６３】
１  衛星電波腕時計、１０ａ，１０ｂ  アンテナ、２１  バラン回路、２２  受信回路、２４  マッチング素子、３１  風防ガラス、３２，３２１  ベゼル、３２ｆ，３２１ｆ  風防保持部、３２ｉ，３２１ｉ  第１の内周壁、３２ｊ，３２１ｊ  第２の内周壁、３３，３７  パッキン、３４  見返しリング、３４ｅ  拡張部、３４ｋ  傾斜面、３６  高誘電体、３６ａ，３２１ａ  凹部、３６ｂ，３２１ｂ  外側突出部、３６ｃ，３２１ｃ  内側突出部、３６ｅ  拡張部、３６ｋ  傾斜面、３８  胴、３９  裏蓋、４１  導電ピン、４３  バラン基板、４５  接続ピン、４７  回路基板、５１  文字板、５２ａ  時針、５２ｂ  分針、５２ｃ  秒針、５３  ソーラーセル、５５  日板、６１  目隠し領域、６６  下側突起部、６７  クッション材。
【図１】
2018063150.tif 000003
【図２】
2018063150.tif 000004
【図３】
2018063150.tif 000005
【図４】
2018063150.tif 000006
【図５】
2018063150.tif 000007
【図６】
2018063150.tif 000008
【図７】
2018063150.tif 000009
【図８】
2018063150.tif 000010
【図９】
2018063150.tif 000011
【図１０】
2018063150.tif 000012
【図１１】
2018063150.tif 000013
【図１２】
2018063150.tif 000014
【図１３】
2018063150.tif 000015
【図１４】
2018063150.tif 000016
【図１５】
2018063150.tif 000017
【図１６】
2018063150.tif 000018
【図１７】
2018063150.tif 000019
【図１８】
2018063150.tif 000020